(57)【要約】【課題】  作成やメンテナンスが容易で、しかも従来のモザイク式監視盤と同じくリアルで臨場感があり、視認性に優れた監視盤を提供することを課題とする。【解決手段】  施設又は設備群の構成を模式的に示す背景画像と、外部からのテレメータ信号に基づいて変化する施設または設備群の状態を表す表示器画像とを含む監視盤画像を、背景画像に対応する三次元モデルと、表示器画像に対応する三次元モデルとを、三次元空間内の所定の位置に配置し、レンダリング処理によって二次元画像を得るとともに、背景画像と表示器画像とをテクスチャマッピングすることによって作成する監視盤表示装置並びに監視盤表示方法、及びそのためのプログラムを提供することによって、上記の課題を解決する。【選択図】  図１
2007330088.tif 000002
【特許請求の範囲】
【請求項１】
施設または設備群の状態を監視する監視盤を画像として表示する監視盤表示装置であって、表示される監視盤画像は、施設又は設備群の構成を模式的に示す背景画像と、外部からのテレメータ信号に基づいて変化する施設または設備群の状態を表す表示器画像とを含み、（１）背景画像を構成する１又は複数個の細分背景画像を記憶する背景画像記憶手段と、背景画像記憶手段から細分背景画像を読み出す手段とを備えた背景画像読み出し手段；（２）表示器画像を記憶する表示器画像記憶手段と、外部からのテレメータ信号に基づいて、表示器画像記憶手段から表示すべき表示器画像を読み出す手段とを備えた表示器画像読み出し手段；（３）読み出された細分背景画像に対応する背景三次元モデル及び読み出された表示器画像に対応する表示器三次元モデルを生成する三次元モデル生成手段；（４）生成された背景三次元モデルと表示器三次元モデルとを三次元空間内の所定の位置に配置する手段と、背景三次元モデルと表示器三次元モデルとにそれぞれ対応する細分背景画像及び表示器画像をテクスチャマッピングする手段と、三次元空間内に配置された背景三次元モデルと表示器三次元モデルとから指定された表示部分に対応した二次元画像を得る手段とを備えたレンダリング手段；（５）レンダリング手段によって得られた二次元画像を表示する表示手段；とを含む、監視盤表示装置。
【請求項２】
表示器画像が、施設または設備の種類、状態、及び／又は名称を表す図形、数字、記号、符号、文字、もしくはこれらの２以上の組み合わせを含み、必要に応じて色彩が付与された画像である請求項１記載の監視盤表示装置。
【請求項３】
外部からのテレメータ信号に基づいて、テレメータ信号で指定された表示器画像について、その色彩を所定の周期で変化させ、フリッカ表示させる手段を備えている請求項１又は２記載の監視盤表示装置。
【請求項４】
背景画像記憶手段が、描画倍率の異なる細分背景画像のセットを複数セット記憶しており、背景画像読み出し手段が、外部からの拡大又は縮小指示に応じて、読み出す細分背景画像のセットを選択する手段を備えている請求項１〜３のいずれかに記載の監視盤表示装置。
【請求項５】
レンダリング手段が、外部から指定された監視盤画像中の表示すべき部分及び／又は表示倍率に応じて、三次元空間内に設定される視点の位置を変化させる手段を備えている請求項１〜４のいずれかに記載の監視盤表示装置。
【請求項６】
外部からのテレメータ信号が、訓練用の模擬テレメータ信号である請求項１〜５のいずれかに記載の監視盤表示装置。
【請求項７】
施設または設備群の状態を監視する監視盤を画像として表示する監視盤表示方法であって、表示される監視盤画像は、施設又は設備群の構成を模式的に示す背景画像と、外部からのテレメータ信号に基づいて変化する施設または設備群の状態を表す表示器画像とを含み、（ａ）背景画像記憶手段に記憶されている背景画像を構成する細分背景画像を読み出すステップ、（ｂ）読み出された細分背景画像及に対応する背景三次元モデルを生成するステップ、（ｃ）（ａ）〜（ｂ）のステップを一つの背景画像を構成する全ての細分背景画像について行うステップ；（ｄ）表示器画像を記憶する表示器画像記憶手段から、外部からのテレメータ信号に基づいて、表示すべき表示器画像を読み出すステップ、（ｅ）読み出された表示器画像に対応する表示器三次元モデルを生成するステップ；（ｆ）（ｄ）〜（ｅ）のステップを表示すべき全ての表示器画像について行うステップ；（ｇ）対応する細分背景画像の背景画像における位置情報に基づいて、背景三次元モデルを三次元空間内の指定された位置に配置するステップと、表示器三次元モデルを三次元空間内における背景三次元モデルの背景画像が形成される面よりも手前側の所定の位置に配置するステップと、背景三次元モデルの背景となる面に表示すべき細分背景画像をテクスチャマッピングするステップと、表示器三次元モデルの表示器となる面に表示すべき表示器画像をテクスチャマッピングするステップと、三次元空間内に配置された背景三次元モデルと表示器三次元モデルとから、指定された表示部分に対応した二次元画像を得るステップとを含む、レンダリングステップ；及び（ｉ）得られた二次元画像を記憶ないしは表示するステップ；とを含む、監視盤表示方法。
【請求項８】
所定の時間毎に少なくとも上記（ｄ）〜（ｇ）のステップを行い、表示器画像を更新するステップを含む請求項７記載の監視盤表示方法。
【請求項９】
背景画像記憶手段が、描画倍率の異なる細分背景画像のセットを複数セット記憶しており、背景画像記憶手段に記憶されている背景画像を構成する細分背景画像を読み出すステップが、外部からの拡大又は縮小指示に応じて、読み出す細分背景画像のセットを選択するステップを備えている請求項７又は８記載の監視盤表示方法。
【請求項１０】
外部からのテレメータ信号に基づいて、テレメータ信号で指定された表示器画像について、その色彩を所定の周期で変化させ、フリッカ表示させるステップを備えている請求項７〜９のいずれかに記載の監視盤表示方法。
【請求項１１】
外部からのテレメータ信号が、訓練用の模擬テレメータ信号である請求項７〜１０のいずれかに記載の監視盤表示方法。
【請求項１２】
コンピューターに請求項７〜１１のいずれかに記載の監視盤表示方法を実行させる手順を記述したプログラム。
【発明の詳細な説明】
【技術分野】
【０００１】
本発明は、施設や設備群の状態を監視する監視盤を表示する監視盤表示装置並びに監視盤表示方法に関し、より詳細には、見易く視認性に優れた監視盤をコンピューターで取り扱うことのできる画像として表示する監視盤表示装置並びに監視盤表示方法に関する。
【背景技術】
【０００２】
従来から、電力系統やプラントなどの施設や設備群の状態を監視する監視盤としては、施設や設備群の構成を模式的に表す図形や文字が描かれ、発光体を備えた多数のモザイクブロックを格子状に並べたモザイク式監視盤が用いられている（例えば、特許文献１、特許文献２参照）。モザイク式監視盤は、格子状に並べられたモザイクブロック間の接合部が線として視認され、自然と格子状の地模様を形成するので、この格子状の地模様がモザイクブロックに描かれた種々の施設や設備群を表す図形を視認する際の視点の基準となり、視認性が良いという利点を備えている。しかしながら、モザイク式監視盤は、電力系統やプラントなどの広範な施設や設備群を物理的に実体のある多数のモザイクブロックを用いて表示するものであるため、占有スペースが大きくなる上に、発光体を点灯させるための配線等を必要とし、作成やメンテナンスに費用と時間が掛かるという欠点があった。
【０００３】
一方、モザイク式監視盤の上記欠点を解決するために、大型のビデオプロジェクターや液晶パネルなどを１台または複数台並べた表示装置に、コンピュータを用いて作成された単線結線図を表示して、監視盤とすることも提案されている（たとえば、特許文献３参照）。しかしながら、この大型ビデオプロジェクターや液晶パネルによって表示される監視盤は、施設や設備群の配置状況と接続関係とを、単に図形とそれらを接続する線からなる平面的な二次元画像として表示するだけのものであるので、監視盤としてのリアルさに欠け、しかもモザイク式監視盤にはあった格子状の地模様もないので、視認性が悪いという欠点がある。
【特許文献１】実開昭６２−１０４５１５号公報
【特許文献２】特開平９−１９００６号公報
【特許文献３】特開平１０−９４１７１号公報
【発明の開示】
【発明が解決しようとする課題】
【０００４】
本発明は、上記のような従来技術の欠点を解消するために為されたもので、作成やメンテナンスが容易で、しかも従来のモザイク式監視盤と同じくリアルで臨場感があり、視認性に優れた監視盤を提供することを課題とするものである。
【課題を解決するための手段】
【０００５】
本発明は、施設または設備群の状態を監視する監視盤を画像として表示する監視盤表示装置であって、表示される監視盤画像は、施設又は設備群の構成を模式的に示す背景画像と、外部からのテレメータ信号に基づいて変化する施設または設備群の状態を表す表示器画像とを含み、（１）背景画像を構成する１又は複数個の細分背景画像を記憶する背景画像記憶手段と、背景画像記憶手段から細分背景画像を読み出す手段とを備えた背景画像読み出し手段；（２）表示器画像を記憶する表示器画像記憶手段と、外部からのテレメータ信号に基づいて、表示器画像記憶手段から表示すべき表示器画像を読み出す手段とを備えた表示器画像読み出し手段；（３）読み出された細分背景画像に対応する背景三次元モデル及び読み出された表示器画像に対応する表示器三次元モデルを生成する三次元モデル生成手段；（４）生成された背景三次元モデルと表示器三次元モデルとを三次元空間内の所定の位置に配置する手段と、背景三次元モデルと表示器三次元モデルとにそれぞれ対応する細分背景画像及び表示器画像をテクスチャマッピングする手段と、三次元空間内に配置された背景三次元モデルと表示器三次元モデルとから指定された表示部分に対応した二次元画像を得る手段とを備えたレンダリング手段；（５）レンダリング手段によって得られた二次元画像を表示する表示手段；とを含む、監視盤表示装置を提供することによって、上記の課題を解決するものである。
【０００６】
また、本発明は、施設または設備群の状態を監視する監視盤を画像として表示する監視盤表示方法であって、表示される監視盤画像は、施設又は設備群の構成を模式的に示す背景画像と、外部からのテレメータ信号に基づいて変化する施設または設備群の状態を表す表示器画像とを含み、（ａ）背景画像記憶手段に記憶されている背景画像を構成する細分背景画像を読み出すステップ、（ｂ）読み出された細分背景画像及に対応する背景三次元モデルを生成するステップ、（ｃ）（ａ）〜（ｂ）のステップを一つの背景画像を構成する全ての細分背景画像について行うステップ；（ｄ）表示器画像を記憶する表示器画像記憶手段から、外部からのテレメータ信号に基づいて、表示すべき表示器画像を読み出すステップ、（ｅ）読み出された表示器画像に対応する表示器三次元モデルを生成するステップ；（ｆ）（ｄ）〜（ｅ）のステップを表示すべき全ての表示器画像について行うステップ；（ｇ）対応する細分背景画像の背景画像における位置情報に基づいて、背景三次元モデルを三次元空間内の指定された位置に配置するステップと、表示器三次元モデルを三次元空間内における背景三次元モデルの背景画像が形成される面よりも手前側の所定の位置に配置するステップと、背景三次元モデルの背景となる面に表示すべき細分背景画像をテクスチャマッピングするステップと、表示器三次元モデルの表示器となる面に表示すべき表示器画像をテクスチャマッピングするステップと、三次元空間内に配置された背景三次元モデルと表示器三次元モデルとから、指定された表示部分に対応した二次元画像を得るステップとを含む、レンダリングステップ；及び（ｉ）得られた二次元画像を記憶ないしは表示するステップ；とを含む、監視盤表示方法を提供することによっても、上記の課題を解決するものである。
【０００７】
本発明の監視盤表示装置並びに表示方法において、表示器画像は、施設または設備の種類、状態、及び／又は名称を表す図形、数字、記号、符号、文字、もしくはこれらの２以上の組み合わせを含み、必要に応じて色彩が付与された画像である。これらの画像は、その都度作成されても良いが、表示器画像を記憶する表示器画像記憶手段に記憶されているのが好ましく、外部からのテレメータ信号に基づいて、表示器画像記憶手段から適宜読み出される。表示器画像には、表示器画像記憶手段からの読み出しに際して、予め定められた文字などの画像を重ね合わせることも可能である。また、読み出された表示器画像を適宜拡大したり、縮小したりすることも随意である。
【０００８】
読み出された表示器画像は、その表示器画像に対応する表示器三次元モデルにテクスチャマッピングされる。表示器画像に対応する表示器三次元モデルとは、当該表示器画像をテクスチャマッピングする面を備えた三次元モデルであり、そのような三次元モデルは、その都度、生成するようにしても良いし、予め記憶手段に記憶させておいて随時読み出すことによって生成しても良い。また、当該表示器画像をテクスチャマッピングする面とは、その表示器の種類にも依るけれども、通常は表示器画像の形状と同じか相似形の平面である。このような表示器画像の読み出しと、その表示器三次元モデルへのテクスチャマッピングは、表示すべき表示器画像の全てについて行われる。
【０００９】
一方、本発明の監視盤表示装置並びに表示方法において、施設又は設備群の構成を模式的に示す背景画像は、１又は複数個の細分背景画像として背景画像記憶手段に記憶されており、細分背景画像は、背景画像記憶手段から順次読み出されて、対応する背景三次元モデルの背景となる面にテクスチャマッピングされる。細分背景画像に対応する背景三次元モデルとは、当該細分背景画像をテクスチャマッピングする面を備えた三次元モデルであり、そのような三次元モデルは、その都度、生成するようにしても良いし、予め記憶手段に記憶させておいて随時読み出すことによって生成しても良い。また、当該細分背景画像をテクスチャマッピングする面とは、通常は細分背景画像の形状と同じか相似形の平面である。このような細分背景画像の背景三次元モデルへのテクスチャマッピングは、１の背景画像を構成している全ての細分背景画像について行われ、それによって、テクスチャマッピングされた細分背景画像によって、予め想定されている１の背景画像、すなわち監視盤画像が構成されることとなる。もしも１の背景画像が１の細分背景画像で構成されている場合には、細分背景画像の読み出しとそのテクスチャマッピングは１回行うだけで良いことは勿論である。
【００１０】
背景三次元モデルと表示器三次元モデルとは、コンピューター内の仮想された三次元空間に配置される。まず、背景三次元モデルは、その背景三次元モデルに対応する細分背景画像の背景画像中の位置に対応した位置に配置される。このとき、背景三次元モデルは、細分背景画像がテクスチャマッピングされる面が、同じ方向を向き、互いに連続して一つの面を形成するように配置されることは言うまでもない。細分背景画像の背景画像中の位置は、例えば、その細分背景画像のファイル名等に位置の情報を含ませておくことによって知ることができる。なお、背景三次元モデルへの細分背景画像のテクスチャマッピングは、背景三次元モデルを三次元空間に配置する前に行っても良いし、背景三次元モデルを三次元空間に配置した後に行っても良く、さらには、投影変換によって背景三次元モデルの二次元像が得られた後に行っても良い。いずれにせよ、三次元空間に配置された１又は複数個の背景三次元モデルは、そのテクスチャマッピングされる面によって、三次元空間内に１の背景画像となる面を構成することとなる。
【００１１】
次に、表示器三次元モデルが、背景三次元モデルと同じ三次元空間内の所定位置に配置される。所定位置とは、施設や設備群を模式的に表した背景画像における、当該表示器三次元モデルに対応する表示器画像を配置すべき位置である。この位置についての情報は、例えば、当該表示器画像に対応する外部からのテレメータ信号におけるデータの位置と、その表示器画像を表示すべき位置との対応関係を予め定めておくことによって、テレメータ信号に基づいて表示すべき表示器画像を読み出した時点で得ることができる。なお、表示器三次元モデルは、その表示器画像がテクスチャマッピングされる面を、背景三次元モデルにおける細分背景画像がテクスチャマッピングされる面と同じ側を向けて、しかも、背景三次元モデルにおける細分背景画像がテクスチャマッピングされる面よりも手前側に配置される。表示器三次元モデルへの表示器画像のテクスチャマッピングは、表示器三次元モデルを三次元空間に配置する前に行っても良いし、表示器三次元モデルを三次元空間に配置した後に行っても良く、さらには、投影変換によって表示器三次元モデルの二次元像が得られた後に行っても良い。このような表示器三次元モデルの三次元空間内への配置を表示すべき全ての表示器画像について行うことによって、三次元空間内の所定位置に、表示器画像がテクスチャマッピングされる面を備えた表示器三次元モデルを配置することができる。
【００１２】
本発明の監視盤表示装置並びに監視盤表示方法においては、レンダリング手段若しくはレンダリングステップが設けられており、上述した三次元空間内への背景三次元モデルと表示器三次元モデルの配置に加えて、それら三次元空間内に配置された背景三次元モデルと表示器三次元モデルに対し、表示器三次元モデルが背景三次元モデルよりも手前にくるような位置に視点を設定し、適当な光源を配置して、二次元座標系への変換を行い、さらには細分背景画像や表示器画像のテクスチャマッピングを行って、表示すべき二次元画像を得ることができる。表示すべき二次元画像のサイズにもよるけれども、通常、レンダリングに際して投影面となるビュースクリーンの大きさは、三次元空間内に形成される一つの背景画像となる面全体の大きさよりも小さいので、視点の位置を背景画像となる面と平行に移動させることによって、レンダリングされる部分、すなわち、表示すべき二次元画像の背景画像中の位置を選択することができる。また、視点の位置を、背景画像に対して垂直方向に移動させることによって、レンダリングによって得られる二次元画像の拡大、縮小を行うことができる。
【００１３】
本発明の監視盤表示装置並びに監視盤表示方法においては、背景画像記憶手段に、描画倍率の異なる細分背景画像のセットを複数セット記憶させておき、外部からの拡大又は縮小指示に応じて、背景画像記憶手段から読み出す細分背景画像のセットを選択する手段ないしはステップを備えておくことによって、表示される監視盤の表示倍率の変更を可能とすることができる。選択された細分背景画像の描画倍率に応じて、表示器画像並びにその表示器画像に対応する表示器三次元モデルの大きさも変更されることとなる。このとき、表示器画像に関しては、描画倍率の異なる細分背景画像のセットに対応させて、表示器画像記憶手段に、描画倍率の異なる表示器画像を複数セット記憶させておいても良いし、同じ表示器画像を適宜拡大若しくは縮小して使用するようにしても良い。
【００１４】
本発明の監視盤表示装置並びに監視盤表示方法においては、外部からのテレメータ信号に基づいて、テレメータ信号で指定された表示器画像の色彩を所定の周期で変化させる手段ないしはステップを備えているのが望ましい。例えば、特定の表示器画像について、その色彩を、点灯を示す「赤色」と消灯を示す「白色」とに交互に所定の周期で切り換えることによって、表示器画像をフリッカ表示させることが可能である。
【００１５】
本発明の監視盤表示装置並びに監視盤表示方法においては、少なくとも表示器画像について、表示すべき表示器画像の読み出しと対応する表示器三次元モデルの生成、及び、表示器三次元モデルの三次元空間内への配置やテクスチャマッピングを含めたレンダリングを、所定時間毎に繰り返す手段若しくはステップを備えることによって、逐次その状態が変化する可能性のある表示器の画像を所定の時間間隔で更新することができ、これにより、監視すべき施設ないしは設備群の状態をリアルタイムで表示することが可能となる。
【００１６】
本発明の監視盤表示装置並びに監視盤表示方法においては、外部からのテレメータ信号は、通常、監視すべき施設ないしは設備群の状態を示す実際のテレメータ信号であるけれども、場合によっては、訓練用の模擬テレメータ信号であっても良い。この場合には、本発明の監視盤表示装置を訓練用の監視盤表示装置として使用することができ、また、本発明の監視盤表示方法によって訓練用の監視盤を表示することができる。
【００１７】
本発明の監視盤表示装置並びに監視盤表示方法は、適宜の記憶装置、演算処理装置、及び入出力装置を備えたコンピューターと、そのコンピューターに所定の動作をさせるプログラムによって実現可能であり、コンピュータに本発明の監視盤表示方法を実行させる手順を記録したプログラムも、本発明の対象である。本発明のプログラムは適宜の記録媒体に記録されたものであっても、コンピュータの記憶装置内に存在するものであっても、通信手段を介して送信可能に準備されているものであっても良い。
【００１８】
本発明が対象とする監視盤には特に制限はなく、電力系統の状態を監視する電力系統監視盤はもとより、プラントの運転状態を監視する監視盤や、電車や列車などの運行状況を示す監視盤、道路の渋滞情報や事故の発生状況を示す監視盤などが挙げられ、本発明は、およそ、施設ないしは設備群の状態を監視するあらゆる監視盤を対象とするものである。また、本発明によって得られる監視盤画像は、監視盤画像として、液晶表示装置やＣＲＴ表示装置のような、コンピューターに付随する通常の表示装置に表示できることは勿論、これに限らず、大型のビデオプロジェクターや、大型の液晶表示装置やプラズマ表示装置はいうに及ばず、それらの複数台を列状に又はマトリックス状に配置したマルチスクリーンによる表示装置にも表示することが可能であり、さらには、監視対象の施設や設備群の構成や状態を表示したモニター画像として、コンピューターに付随する通常の表示装置に表示することも可能である。
【発明の効果】
【００１９】
本発明の監視盤表示装置並びに監視盤表示方法によれば、三次元コンピューターグラフィックスの手法を用いて、施設や設備群を模式的に表した背景画像上に各種の表示器が画像として表示されるので、背景画像だけでなく、逐次変化する表示器画像をも、監視員が通常見慣れているモザイク式監視盤を模した立体感のある画像として表示することが可能であり、従来のモザイク式監視盤とほぼ同等の見やすさと視認性とを備えた監視盤を提供することができるという優れた利点が得られる。しかも、本発明によって得られる監視盤画像は、コンピューター画像であるため、メンテナンスが容易であり、多数のモザイクブロックも発光体も必要とせず、監視すべき施設や設備群の構成の変更にも、背景画像や表示器画像を変更したり、外部からのテレメータ信号によって読み出される表示器画像の種類や表示位置を指定したテーブルを変更することによって、機敏に対応できるという利点を備えている。特に、背景画像や表示器画像、さらには外部からのテレメータ信号によって読み出される表示器画像の種類や表示位置を指定したテーブルを、監視すべき施設や設備群の種類に応じて予め複数種類用意しておく場合には、それらを適宜選択して使用することによって、監視盤に表示する施設や設備群を随時変更することができるので、極めて便利である。この利点は、例えば、訓練用の監視盤表示装置のように、表示する施設や設備群を種々変更する場合がある監視盤表示装置において、特に有用である。
【００２０】
このような本発明の監視盤表示装置並びに監視盤表示方法は、通常のコンピューターと、そのコンピューターに本発明の監視盤表示方法を実行させる手順を記述した本発明のプログラムによって実現可能であり、システムとしては極めてシンプルに構築することができる。本発明のプログラムは、市販のコンピューターグラフィックス用のアプリケーションプログラムインターフェイス（ＡＰＩ）を用いて構築可能であり、個々の監視盤に合わせたユーザーサイドでの細部の変更や編集にも、柔軟に対応できるという利点を備えている。
【発明を実施するための最良の形態】
【００２１】
以下、本発明を、最も典型的な監視盤である電力系統監視盤について図面を参照しながら説明するが、本発明が、図示した電力系統監視盤の表示装置並びに表示方法に限られるものではないことは勿論である。
【００２２】
図１は、本発明の監視盤表示装置の概略を示すブロック図であって、１は監視盤表示用コンピューターを示し、２は監視盤表示用コンピューター１のＣＰＵ、３は記憶装置である。記憶装置３は、背景画像記憶手段４、表示器画像記憶手段５、表示器のデザインを記憶したデザインテーブル６、及び、表示器のレイアウトを記憶したレイアウトテーブル７を備えている。これら背景画像記憶手段４、表示器画像記憶手段５、デザインテーブル６、及び、レイアウトテーブル７は、それら全てが記憶装置３の中の一部の記憶領域であっても良いし、いずれか１又は２以上が、別途独立した記憶装置であっても良く、さらには、ネットワークや通信手段を介して適宜監視盤表示用コンピューター１と接続される離れた場所にある記憶装置であっても良い。なお、記憶装置３には、監視盤表示用コンピューター１に本発明の監視盤表示方法を実行させる手順を記述した本発明のプログラムも記憶されている。監視盤表示用コンピューター１としては、通常のパーソナルコンピューター等、適宜のコンピューターを使用することができる。
【００２３】
８はグラフィックプロセッサユニット（ＧＰＵ）であり、ＧＰＵ８は、図示しない適宜のジオメトリックエンジンとレンダリングエンジンとを備えている。９はビデオメモリ、１０は表示装置である。表示装置１０には、監視盤画像を表示することができる限り、特段の制限はなく、液晶表示装置、プラズマ表示装置、ビデオプロジェクタ、ＣＲＴ表示装置等、適宜の表示装置を用いることができる。１１はバスであり、ＣＰＵ２、記憶装置３、及びＧＰＵ８はバス１１を介して互いに接続されている。１２は監視盤コントローラーであり、遠隔地に存在する遠隔監視装置１３ａ、１３ｂ、１３ｃ・・・から送信されてくる種々の計測信号データを、所定のフォーマットに合うように加工して、監視盤表示用コンピューター１のバスに供給するものである。なお、後述するとおり、本発明の監視盤表示装置を訓練用の監視盤表示装置として使用する場合には、遠隔監視装置１３ａ、１３ｂ、１３ｃ・・・から送信されてくる種々の計測信号データに代えて、訓練用のコンピュータから送信されてくる模擬の計測信号データが監視盤コントローラー１２に入力されることになる。或いは、訓練用コンピュータによって、既に所定のフォーマットに加工された計測信号データが、監視盤コントローラー１２を介して、または介さずに、バス１１に供給されても良い。
【００２４】
図２は、背景画像記憶手段４に記憶されている背景画像の一例を示す図である。背景画像１４は、一つの監視盤の全体に相当し、主として、施設や設備群の種類や配置、相互の接続関係などの、短期間では変化しない半固定的な構成を図形等によって模式的に示すものである。この背景画像１４は、本発明によって表示される監視盤画像においては、後述する表示器画像の背景として位置づけられるものである。背景画像１４は、主として、半固定的な構成を図形等によって模式的に示すものであるけれども、テレメータ信号等に基づいて短期間に変化させなければならない部分についても、背景画像中に対応する図形等を描いておくことは一向に差し支えない。
【００２５】
図２に示す例の場合、背景画像１４は、横はＡ〜Ｌの１２列、縦は１〜６の６行からなる、１２×６＝７２個の細分背景画像１５から構成されている。各細分背景画像１５、１５、１５・・・には、その背景画像１４中に占める位置に対応して、Ａ１、Ｂ２等の名称が付されており、この名称によって、その細分背景画像１５が背景画像１４中のどの位置に配置されるべきものであるかを知ることができる。例えば、図２においてＦ３で示された細分背景画像１５は、図中破線で示すとおり、背景画像１４において、Ｆ列、３行の位置を占めるものであり、例えば「細分背景画像Ｆ３」として表示することができる。
【００２６】
背景画像１４を構成する細分背景画像１５、１５、１５・・・は、通常のグラフィックツールを用いて描くことができるので、容易に編集ないしは変更が可能であり、監視すべき施設や設備群の変更に機敏に対応することができるという利点がある。また、細分背景画像１５、１５、１５・・・は、背景画像記憶手段４内に、細分背景画像１５ごとに個別のファイルとして記憶されるので、各細分背景画像１５のファイルの名称に、上述した列と行とを表すアルファベットと数字の組み合わせを付しておくことによって、ファイルの読み出し時に、その背景画像１４中に占めるべき位置を容易に知ることができる。或いは、逆にファイル名を指定することによって、背景画像１４中の特定の位置の細分背景画像１５を読み出すことも可能である。なお、背景画像１４を構成する細分背景画像１５の数は、表示すべき監視盤の大きさや、細分背景画像の大きさによって変化することは勿論であり、図２に示された７２個よりも多くなることも、少なくなることもあり、極端な場合には、背景画像１４はただ一つの細分背景画像１５から構成されていても良い。
【００２７】
図３は、細分背景画像１５の一例を拡大して示す図であり、図２におけるＦ３の位置の細分背景画像に相当するものである。図３において、１６、１６は設備の名称表示であり、短期的には変更が予定されておらず、しかもその設備自体は監視対象とされていないので、半固定的な背景画像として描かれている。１７、１７、１７は各設備を結ぶ送電線であり、その状態は監視対象とはされていないため、半固定的な背景画像として描かれている。１８はラインスイッチ、１９ａ、１９ｂ、１９ｃはサーキットブレーカーであり、これらもテレメータ信号に基づいて状態を変化させて表示しなければならない表示器に相当する図形ではあるけれども、細分背景画像１５全体を見易くするために、便宜上描かれているものである。細分背景画像１５に描かれたラインスイッチ１８、サーキットブレーカー１９ａ、１９ｂ、１９ｃの画像の上には、後述するように、テレメータ信号に基づいて変化する表示器画像が三次元的に重ね合わされるので、細分背景画像１５にラインスイッチ１８、サーキットブレーカー１９ａ、１９ｂ、１９ｃの画像を描いておいても何ら差し支えない。
【００２８】
２０は電気所名表示器である。電気所名表示器２０は、テレメータ信号に基づいてその色彩等を変化させなければならない施設または設備の名称を表示する所名表示器に相当する部分であり、図３に示す細分背景画像１５においては、白く、無地で残されている。２１は、テレメータ信号に基づいて、電圧等の変化する数字を表示する数値表示器に相当する部分であり、数値表示器の形状を模した図形が描かれている。
【００２９】
上述した送電線１７、ラインスイッチ１８、サーキットブレーカー１９ａ、１９ｂ、１９ｃ、名称表示器２０、及び数値表示器２１の図形は、いずれもモザイク式監視盤におけるそれらを表す図形を模したものであるので、従来のモザイク式監視盤を見慣れた監視員にも違和感を与えることがない。さらには、細分背景画像１５には、モザイク式監視盤においてモザイクブロックの接合部によって形成される格子模様を模した図形２２が描かれている。この格子模様が監視盤画像の背景に地模様として存在することによって、見る者に視点の基準を与えることができるので、全くの無地の背景に監視盤が描かれる場合に比べて、見やすさと視認性が向上するという利点がある。
【００３０】
図１に戻って、本発明の監視盤表示装置によって、まず監視盤の背景画像が形成される手順を説明する。図示しない入出力装置を介して、或いは起動された本発明のプログラムによって、ＣＰＵ２が背景画像作成の命令を受け取ると、ＣＰＵ２は、背景画像記憶手段４から細分背景画像１５Ａ１、１５Ｂ１、１５Ｃ１・・・を順次読み出して、ＧＰＵ８に送る。ＧＰＵ８は、順次送られてくる細分背景画像１５Ａ１、１５Ｂ１、１５Ｃ１・・・の順序またはそのファイル名に付与されたアルファベットと数字の組み合わせから、その細分背景画像の背景画像１４中の位置を認識する。ＧＰＵ８は、さらに、送られてきた細分背景画像１５Ａ１、１５Ｂ１、１５Ｃ１・・・に対応する背景三次元モデルを作成し、その対応する細分背景画像の背景画像１４中の位置に基づいて、座標変換を行い、仮想された三次元空間内に配置する。なお、背景三次元モデルは、必要時にその都度生成するようにしても良いし、予め記憶されている背景三次元モデルを記憶装置から読み出すことによって生成するようにしても良い。
【００３１】
背景三次元モデルの三次元形状は、細分背景画像をテクスチャマッピングする面が設けられている限り、特段の制限はないけれども、無用の複雑さを避けるためには、細分背景画像の二次元形状に合わせた表面を備えた立方体ないしは直方体形状の三次元モデルとするのが良く、その立方体ないしは直方体の一つの表面を細分背景画像をテクスチャマッピングする面とするのが好ましい。また、背景三次元モデルの表現法にも特に制限はないけれども、三次元モデルの生成の容易さからは、三角形ないしは四角形のポリゴンによる表現が好ましい。
【００３２】
背景三次元モデルの三次元空間内への配置の仕方は、それぞれの背景三次元モデルにおける細分背景画像がテクスチャマッピングされる面が、全て同じ方向を向き、テクスチャマッピングされる画像が互いに連続して全体として１つの背景画像を構成するように配置されるものであることはいうまでもない。なお、個々の細分背景画像１５Ａ１、１５Ｂ１、１５Ｃ１・・・の対応する背景三次元モデルへのテクスチャマッピングは、背景三次元モデルを三次元空間内の所定位置に配置する前に行っても良いし、配置した後に行っても良いし、後述する視点の設定後、二次元画像への変換が終わってから行うようにしても良い。
【００３３】
図４は、表示器画像記憶手段５に記憶されている図形の表示器画像の一例を示す図である。表示器画像は、細分背景画像と同じく格子状の地模様のある背景画像上に画像として定義されている。図４に示すように、各図形の表示器画像には、その種類に対応して、それぞれ「ＴＹＰＥ１」、「ＴＹＰＥ２」、・・・等の符号が付されている。例えば、「ＴＹＰＥ１」はサーキットブレーカー１９を、［ＴＹＰＥ２」はラインスイッチ１８を、「ＴＹＰＥ３」はアースを、「ＴＹＰＥ４」〜「ＴＹＰＥ７」は電気所母線を、「ＴＹＰＥｎ」は大型の所名表示器を、「ＴＹＰＥｍ」は小型の所名表示器を、それぞれ表す図形であり、図４の例においては、各タイプごとに４色の図形（図４では色彩の違いを「白」、「黒」、「細かいハッチング」、及び「粗いハッチング」で表している）が画像として定義され、表示器画像記憶手段５に記憶されている。表示器画像記憶手段５からの表示器画像の読み出しは、図中矢印で示すように、該当する表示器画像に相当する部分だけを切り出すことによって行われる。
【００３４】
図５は、表示器画像記憶手段５に記憶されている数字や符号の表示器画像の一例を示す図である。図５に示すように、０から９までの数字と、プラス、マイナスの符号、上又は下向きの矢印、左又は右向きの矢印、及び小数点のセットが複数セット（Ｃ１〜Ｃ７）定義され、記憶されているが、例えばＣ１のセットは「緑」、Ｃ２のセットは「赤」、Ｃ３のセットは「黄」というように、各セットは色彩が異なっている。Ｃ０はブランクの図形のセットであり、数字や符号を何も表示しない場合には、このＣ０のブランクの図形のセットが使用される。図５においてＥの行に示される「Ｅ」の文字は「エラー」を表し、「ＥＥＥＥＥＥＥ」と表示されたその一文字一文字は異なる色彩の「Ｅ」である。「ＥＥＥＥＥＥＥ」の列の一番左には、「Ｅ」の文字のないブランクの図形が定義されており、これはエラー表示を行わない場合に使用される。数字や符号の表示器画像の読み出しも、図４に示した表示器画像の読み出しと同様に、数字「１」であれば「１」の部分だけを、また符号「＋」であれば「＋」の部分だけを切り出すことによって行われる。図４及び図５に示す図形や数字、文字、符号等の画像は、あくまでも例示であり、図４及び図５に示される以外の図形や数字、文字、符号、記号等を図形として定義して、表示器画像記憶手段５に記憶させても良いことは言うまでもない。
【００３５】
本発明において、外部からのテレメータ信号に基づく、表示器画像記憶手段５からの表示器画像の読み出しは、例えば、以下のようにして行われる。すなわち、図１に示すように、遠隔地に存在する遠隔監視装置１３ａ、１３ｂ、１３ｃ・・・から送信されてくる種々の計測信号データは、監視盤コントローラー１２によって、所定のフォーマットに整えられ、一連のテレメータ信号データとして、監視盤表示用コンピューター１のバスに供給される。一方、監視盤表示用コンピューター１には、レイアウトテーブル７が設けられており、レイアウトテーブル７には、送られてくるテレメータ信号中のデータの位置と、表示すべき表示器との対応関係が定められている。例えば、テレメータ信号データのデータ部分の１ビット目から２ビット目までのデータは、ＴＹＰＥ１のサーキットブレーカーの状態を示すデータであり、そのサーキットブレーカーは、背景画像１４中のどの位置に表示すべきものであるのかがレイアウトテーブル７には記述されている。また、デザインテーブル６には、例えばＴＹＰＥ１の色彩の異なる４種の表示器画像は、それぞれ、表示器画像記憶手段５のどの場所に記憶されているかが記載されている。
【００３６】
したがって、ＣＰＵ２は、テレメータ信号を受け取ると、レイアウトテーブル７に基づいて、テレメータ信号中のデータ部の１ビット目から２ビット目までのデータは、ＴＹＰＥ１のサーキットブレーカーについてのデータであると認識し、この表示すべき表示器のタイプについての情報と、１ビット目から２ビット目までのデータ中に含まれている色彩についての情報と、デザインテーブル６に記載されているＴＹＰＥ１の表示器画像の表示器記憶手段５における記憶場所についての情報とに基づいて、表示器画像記憶手段５から、ＴＹＰＥ１の指定された色のサーキットブレーカーの表示器画像を読み出し、その表示器画像と、レイアウトテーブル７に指定されている背景画像１４中の表示すべき位置についての情報とを対応づけて、ＧＰＵ８に伝えることができる。
【００３７】
同様にして、ＣＰＵ２は、例えば、テレメータ信号中のデータ部の３ビット目から４ビット目までのデータは、ＴＹＰＥ２のラインスイッチについてのデータであると認識し、この表示すべき表示器のタイプについての情報と、３ビット目から４ビット目までのデータ中に含まれている色彩についての情報と、デザインテーブル６に記載されているＴＹＰＥ２の表示器画像の表示器記憶手段５における記憶場所についての情報とに基づいて、表示器画像記憶手段５から、ＴＹＰＥ２の指定された色のラインスイッチの表示器画像を読み出し、その表示器画像と、レイアウトテーブル７に指定されている背景画像１４中の表示すべき位置についての情報とを対応づけて、ＧＰＵ８に伝えることとなる。なお、サーキットブレーカーやラインスイッチの表示器画像においては、その色彩、すなわち色が、状態を表すシンボルである。例えば「緑」であれば「切り」の状態にあり、「赤」であれば「入り」の状態にある等であり、これらの対応関係は予め定めておくことができる。
【００３８】
レイアウトテーブル７には、テレメータ信号中のデータの位置と表示すべき表示器画像のタイプとの関係に加えて、そのタイプの表示器画像中に表示すべき文字についての情報を含めることができる。例えば、テレメータ信号中のデータ部の５ビット目から６ビット目までのデータは、ＴＹＰＥｎの電気所の名称を表示する所名表示器画像についてのデータであり、その所名表示器画像には、「浜松」という文字を表記するという指定をレイアウトテーブル７において定めておくことができる。この指定には、表示すべき文字のフォントやサイズ、その所名表示器画像中の位置などについての情報も含めることができる。
【００３９】
したがって、ＣＰＵ２は、レイアウトテーブル７に基づいて、テレメータ信号中のデータ部の５ビット目から６ビット目までのデータは、ＴＹＰＥｎの所名表示器についてのデータであると認識し、この表示すべき表示器のタイプについての情報と、５ビット目から６ビット目までのデータ中に含まれている色彩についての情報と、デザインテーブル６に記載されているＴＹＰＥｎの所名表示器画像の表示器記憶手段５における記憶場所についての情報とに基づいて、表示器画像記憶手段５から、ＴＹＰＥｎの指定された色の所名表示器の画像を読み出し、さらに、レイアウトテーブル７に指定されている表記すべき文字についての情報に基づいて、読み出された所名表示器の画像に指定された文字を重ね合わせ、その文字が重ね合わせられた画像を表示器画像として、レイアウトテーブル７に指定されている背景画像１４中の表示すべき位置についての情報と対応づけて、ＧＰＵ８に伝えることとなる。
【００４０】
表示器画像が数値表示器であっても基本的に同様である。ただし、数値表示器に関しては、表示すべき数値の桁数、上下左右の矢印記号や、プラス・マイナスなどの符号の表示の要否などに応じて、表示器画像のタイプが定められている。また、数値表示器に関しては、レイアウトテーブル７には、テレメータ信号中のデータの位置と、表示すべき数値表示器のタイプとの対応関係、その数値表示器の背景画像中の位置についての情報に加えて、指定された位置のビットの状態と表示すべき数字等の色彩との対応関係や、指定された位置のビットの状態と表示すべき小数点の位置との対応関係などの情報を含ませることができる。
【００４１】
したがって、ＣＰＵ２は、テレメータ信号を受け取ると、レイアウトテーブル７に基づいて、テレメータ信号中のデータ部の、例えば１１ビット目から２６ビット目までのデータは、上下いずれかの矢印に数字３桁を表示するタイプの数値表示器についてのデータであると認識し、この表示すべき数値表示器のタイプについての情報と、１１ビット目から２６ビット目までのデータ中に含まれている表示すべき数字等の色彩についての情報と、表示すべき符号についての情報と、表示すべき数値についての情報と、表示すべき小数点の位置についての情報と、デザインテーブル６に記載されている数字等の画像の表示器記憶手段５における記憶場所についての情報とに基づいて、表示器画像記憶手段５から、指定された色彩の上向き又は下向きの矢印の画像を読み出し、続いて、指定された色彩の指定された数字の画像を３桁分順次読み出し、それら矢印と３つの数字の画像をワンセットの表示器画像として、レイアウトテーブル７に指定されている背景画像１４中の表示すべき位置についての情報と対応づけて、ＧＰＵ８に伝えることとなる。
【００４２】
ＧＰＵ８は、順次送られてくる表示器画像に対応する表示器三次元モデルを作成し、その対応する表示器画像の背景画像１４中の位置に基づいて、座標変換を行い、仮想された三次元空間内に配置する。このような表示器三次元モデルの生成と、三次元空間への配置は、表示すべき全ての表示器について行われる。なお、表示器三次元モデルは、必要時にその都度生成するようにしても良いし、予め記憶されている表示器三次元モデルを記憶装置から読み出すことによって生成するようにしても良い。
【００４３】
表示器三次元モデルの三次元形状は、背景三次元モデルと同様に、表示器画像をテクスチャマッピングする面が設けられている限り、特段の制限はないけれども、無用の複雑さを避けるためには、表示器画像の二次元形状に合わせた表面を備えた立方体ないしは直方体形状の三次元モデルとするのが良く、その立方体ないしは直方体の一つの表面を表示器画像をテクスチャマッピングする面とするのが好ましい。また、表示器三次元モデルの表現法にも特に制限はないけれども、三次元モデルの生成の容易さからは、背景三次元モデルと同様に、三角形ないしは四角形のポリゴンによる表現が好ましい。なお、数値表示器の表示器画像に関しては、読み出された個々の符号や数字毎に１つの表示器三次元モデルを生成し、それら表示器三次元モデルを所定の数だけ並べて、１つの数値表示器に対応する表示器三次元モデルとしても良いし、複数の符号又は数字画像によって構成される１つの数値表示器に対し、１つの表示器三次元モデルを生成するようにしても良い。
【００４４】
表示器三次元モデルの三次元空間内への配置の仕方は、それぞれの表示器三次元モデルにおける表示器画像がテクスチャマッピングされる面が、背景三次元モデルにおける背景画像がテクスチャマッピングされる面と同じ方向を向くように行われる。なお、表示器画像の対応する表示器三次元モデルへのテクスチャマッピングは、表示器三次元モデルを三次元空間内の所定位置に配置する前に行っても良いし、配置した後に行っても良いし、後述する視点の設定後、二次元画像への変換が終わってから行うようにしても良い。
【００４５】
上述のようにして、背景三次元モデルと表示器三次元モデルの三次元空間内への配置が終わると、ＧＰＵ８は、通常のレンダリングの手法にしたがって、三次元空間内に視点の設定と、光源の設定を行う。図６に、三次元空間内に配置された背景三次元モデル２３と、表示器三次元モデル２４、並びに視点２５との関係を簡略化して模式的に示す。図６において背景三次元モデル２３は単一の薄い直方体として表現されているけれども、実際には多数の背景三次元モデルによって構成されており、テクスチャマッピングされた場合には、その視点２５に向けた面の全体で１つの背景画像、すなわち、１つの監視盤画像を構成することとなる。表示器三次元モデル２４は、同じくテクスチャマッピングされる面を視点２５の側に向けて、背景三次元モデルよりも手前側に配置されている。なお、図６においては表示器三次元モデル２４、２４、２４は薄い直方体として表現されているけれども、表示器三次元モデルが図示の形状に限られるものでないことは言うまでもない。
【００４６】
このような三次元空間内に視点２５が設定される。視点２５は、図示のように、表示器三次元モデルが背景三次元モデルよりも手前なるような位置に設定され、図示しない光源は、背景三次元モデル及び表示器三次元モデルのテクスチャマッピングされる面が均等に照らされるような位置に設定される。視点２５から伸びる一点鎖線で囲まれた領域がビューボリュームであり、そのビューボリューム内に位置する背景三次元モデル及び表示器三次元モデルが、適宜の位置に設定されたビュースクリーン２６上に投影され、隠面処理がされて、二次元画像に変換される。二次元画像に変換される領域は、背景三次元モデル２３上では、実線で四角く囲ったＡで示される領域となる。二次元画像への変換後に、背景三次元モデル及び表示器三次元モデルのそれぞれに、背景画像及び表示器画像をテクスチャマッピングすることにより、表示すべき監視盤画像が得られることとなる。ＧＰＵ８は、このようにして作成された監視盤画像を、適宜ビデオメモリ９に記憶させ、また表示装置１０に表示させることができる。なお、テクスチャマッピングは、適宜のタイミングで行うことができ、背景三次元モデル及び表示器三次元モデルの三次元空間内への配置前に行っても良いし、視点を設定して二次元画像に変換する前に行っても良い。
【００４７】
図７は、上述のようにして作成された監視盤画像の一例を、図３に示した１つの細分背景画像に対応する部分だけ取り出して示したものである。図７に示されるように、図３においては空白であった電気所名表示器２０には、「浜松」の文字が入り、その地色は「白」である。この電気所名表示器２０の表示器画像は、例えば図４においてＴＹＰＥｎとして示されるタイプの所名表示器画像のうちの最上段にある「白」の所名表示器画像である。ＣＰＵ２は、この所名表示器画像を読み出すに際し、レイアウトテーブル７の指定に基づいて、「浜松」の文字を重ね合わせて、ＧＰＵ８に送ったことになる。
【００４８】
一方、ラインスイッチ１８及びサーキットブレーカー１９ａは、「赤」（図では「黒」）で表示されており、これは、例えばラインスイッチ１８が「入り」状態、サーキットブレーカー１９ａが「入り」状態にあることを示している。また、サーキットブレーカー１９ｂ、１９ｃは「緑」（図では「白」）で表示されており、これは、例えばサーキットブレーカー１９ｂ、１９ｃが「切り」状態にあることを示している。数値表示器２１にも「７７７」の数字が表示されており、これは、例えば符号Ｖで表される電圧値が「７７７キロボルト」であることを示している。
【００４９】
図８は、監視盤画像の他の例を１つの細分背景画像に対応する部分だけ取り出して示したものである。図８に示されるとおり、電気所名表示器２０は、図４に示すＴＹＰＥｍの所名表示器画像の最上段の画像に「静岡」の文字が重ね合わされたものであり、数値表示器２１に表示されている下向きの矢印と数字「０」は、テレメータ信号に基づいて、図５に示す表示器画像から指定された色の下向きの矢印の画像と、指定された色の数字「０」の画像とを読み出して、対応する表示器三次元モデルにテクスチャマッピングすることによって得られた画像である。この数値表示器２１が、もしも上下いずれかの向きの矢印と、数字３桁とを表示するタイプであれば、数値表示器２１における下向きの矢印と数字「０」との間には、ブランクを示す表示器画像が数字２個分存在していることになる。この数値表示器は、矢印の向きの通過電力を数値表示として表示するものである。２７ａ〜２７ｄは監視すべき電気所母線であり、図４におけるＴＹＰＥ５の画像を対応する表示器三次元モデルにテクスチャマッピングすることによって得られた画像である。図８の場合、電気所母線２７ａ〜２７ｄは地色（図では「ハッチング」で表示）のままとして表示され、異常がないことを表している。サーキットブレーカー１９ａ、１９ｂは「赤」（図では「黒」で表示）で表示された「入り」状態にあり、他方、サーキットブレーカー１９ｃ、１９ｄは「緑」（図では「白」で表示）で表示された「切り」状態にある。１Ｂ、２Ｂ、３Ｂは、変圧器であり、これらは背景画像として描かれている。
【００５０】
以上のようにして、本発明の監視盤表示装置並びに監視盤表示方法によれば、ある時点での監視すべき施設又は設備群の状態を監視盤画像として、適宜の表示装置１０に表示することができる。一方、図１に示す遠隔監視装置１３ａ、１３ｂ、１３ｃ・・・からは、監視対象である施設又は設備群の状態を表す種々の計測信号データが逐次、監視盤コントローラー１２に送信されており、これをリアルタイムで監視盤画像として表示するためには、監視盤画像を一定の時間間隔ごとに書き換えることが必要となる。このため、ＣＰＵ２は、一定の時間間隔、例えば０．５秒ごとに、監視盤コントローラー１２にテレメータ信号データの送信を要求し、送信されてきたテレメータ信号データに基づいて、表示すべき全ての表示器画像の読み出しを行い、その読み出した表示器画像と、レイアウトテーブル７に指定されているその表示器画像の背景画像１４中の表示すべき位置についての情報とを対応づけて、ＧＰＵ８に伝えることとなる。
【００５１】
ＧＰＵ８は、先に説明したのと同じ手順で、表示器三次元モデルを生成し、その生成した表示器三次元モデルをその表示すべき位置情報に基づいて三次元空間内に配置する。このとき、背景画像については書き換える必要がないので、背景三次元モデルに関しては、前回使用した三次元空間内への配置データをそのまま利用することができる。また、視点２５及び光源の位置も変更する必要がないので、前回のデータをそのまま使用することができる。
【００５２】
ＧＰＵ８は、続いて、先に説明したのと同じ手順で、二次元画像への変換を行い、細分背景画像及び表示器画像のテクスチャマッピングを行い、表示すべき監視盤画像を得る。前回使用した細分背景画像のテクスチャマッピングしたデータが利用できる場合には、細分背景画像に関してはテクスチャマッピングを省略することができる。ＧＰＵ８の性能や、表示すべき監視盤画像の大きさにも依るけれども、通常、テレメータ信号に基づく表示器画像の読み出しからレンダリングによって表示すべき監視盤画像を得るまでに要する時間は０．５秒未満であり、０．５秒の時間間隔で監視盤画像を更新することには特段の問題はない。なお、監視盤画像を更新する時間間隔は、０．５秒に限られず、もっと長くても良いし、ＧＰＵ８の性能が許すならば、もっと短くても良い。以上のように、所定の時間間隔で、少なくとも表示器画像についてデータを更新して、監視盤画像の作成を繰り返すことによって、監視すべき施設又は設備群の状態をリアルタイムで監視盤画像として表示することが可能となる。
【００５３】
図９は、図８に示した監視盤画像が更新された状態を示している。すなわち、上下二系統ある電気所母線２７ａ、２７ｂのうち、電気所母線２７ｂに異常が生じ、そのため、電気所母線２７ｂの表示は異常を示す「赤」（図では「黒」で表示）となっている。また、電気所母線２７ｂに異常が発生したために、電気所母線２７ｂと電気所母線２７ｃとを結ぶ変圧器３Ｂのサーキットブレーカー１９ａ、１９ｂは「切り」状態となり、そのことがサーキットブレーカー１９ａ及び１９ｂの表示が「赤」から「緑」（図では「黒」から「白」）となったことによって示されている。なお、電気所母線２７ａ、２７ｃ、２７ｄには異常はなく、地色（図では「ハッチング」で表示）のままとして表示されている。同様に、電気所名表示器２０における地の色が消灯状態を示す「白」から「アンバー」（図ではハッチングで表示）に変わり、異常があることを表示している。また、数値表示器２１の数値は、変圧器の通過電力を数値表示として表示している。
【００５４】
なお、電気所母線２７ｂの表示が、異常を示す「赤」に変わったことに監視員の注意を喚起するために、例えば、電気所母線２７ｂの「赤」表示を所定の時間間隔で点滅させてフリッカ表示とすることができる。このフリッカ表示の指令は、例えば、テレメータ信号データ中にフリッカ表示の要否を指定するビットを設けることによって、テレメータ信号データ中に含ませることができる。このようなフリッカ表示の指令が特定の表示器画像についてあった場合、ＣＰＵ２又はＧＰＵ８は、テレメータ信号データによる「赤」表示の指令とは別に、監視盤画像を更新する際、１回置きに消灯を示す「白」の表示を行うように、その表示器画像についての色の指定を変更する。例えば、異常のあった電気所母線２７ｂについて、異常を示す「赤」表示の指令とともに、フリッカ表示の指令があった場合、ＣＰＵ２又はＧＰＵ８は、電気所母線２７ｂの表示を、監視盤画像の更新のタイミングに合わせて、「赤」→「白」→「赤」→「白」と切り替え、これにより監視盤画像においては電気所母線２７ｂの表示が「赤」が点滅するフリッカ表示となる。なお、このようなフリッカ表示の指令は、電気所母線２７ｂについてだけでなく、その他の表示器についても行うことができ、状態の変化した表示器、特に数値が変化した数値表示器などに監視員の注意を喚起するために利用することができる。フリッカ表示の終了は、異常状態の解消、所定の時間の経過、所定回数の監視盤画像の更新の終了、監視員による確認操作などによって行うことができる。
【００５５】
監視盤画像による表示領域の変更は、三次元空間内に設定される視点の位置の変更によって行うことができる。すなわち、図１０に示すように、視点２５を図示の位置に設定した場合には、ビュースクリーン２６に投影される監視盤画像は図中Ａで示す領域であるが、視点２５を視点２５’の位置まで背景三次元モデルのテクスチャマッピング面に平行に移動させると、監視盤画像は、ビュースクリーン２６’に投影される図中Ａ’で示される領域となる。これによって、広い監視盤の任意の領域を画像として表示することができる。なお、表示すべき領域の指定や移動は、マウスやキーボードなどの適宜の入力装置を介して表示画面上で行うことができる。また、背景画像や表示器画像として表示される施設や設備の名称の一覧テーブルを作成しておき、適宜表示画面上のウインドとして表示させ、その表示されたテーブル上の名称をマウス等で指定することによって、監視盤画像として表示される領域を変更するようにしても良い。さらには、音声入力装置を介して、監視盤画像として表示すべき施設や設備の名称を音声入力することによって、監視盤画像として表示される領域を変更するようにしても良い。
【００５６】
本発明の監視盤表示装置及び監視盤表示方法には、表示される監視盤画像の拡大、縮小を行う手段ないしはステップを設けることができる。すなわち、本発明の監視盤表示装置及び監視盤表示方法において、表示される監視盤画像の拡大、縮小は、背景画像記憶手段４に描画倍率の異なる複数の細分背景画像のセットを記憶させておき、指定された表示倍率ないしは拡大、縮小の指示に応じて、背景画像記憶手段４からの読み出すべき細分背景画像のセットを選択する手段ないしはステップを設けることによって行うことができる。例えば、図２に示す例では、横１２列、縦６行の合計７２個の細分背景画像によって１つの監視盤画像が構成されているけれども、１つの細分背景画像の大きさは変えずに、個々の細分背景画像に描かれる背景画像を拡大すれば、１つの監視盤画像を構成するのに要する細分背景画像の数は増し、例えば図１０において、１つの監視盤画像を構成する背景三次元モデル２３の大きさが、二次元領域に変換される領域Ａ又はＡ’の大きさに比べて大きくなり、監視盤画像は拡大されたことになる。
【００５７】
逆に、１つの細分背景画像の大きさは変えずに、個々の細分背景画像に描かれる背景画像を縮小すれば、１つの監視盤画像を構成するのに要する細分背景画像の数は減少し、例えば図１０において、１つの監視盤画像を構成する背景三次元モデル２３の大きさが、二次元領域に変換される領域Ａ又はＡ’の大きさと同じか、それより小さくなれば、監視盤の全体を１つの監視盤画像として表示することができる。この場合、監視盤画像は縮小されたことになる。本発明の監視盤表示装置並びに監視盤表示方法においては、描画倍率が段階的に異なる細分背景画像のセットを複数セット、背景画像記憶手段４に記憶させておき、表示倍率の変更指令に基づいて、背景画像記憶手段４から読み出す細分背景画像のセットを選択することによって、表示装置１０に表示される監視盤画像を拡大したり縮小したりすることができる。
【００５８】
このように、本発明の監視盤表示装置並びに表示方法においては、表示倍率の変更指示又は表示画像の拡大若しくは縮小の指示に基づいて、単にソフトウエア上で画像の拡大又は縮小を行うのではなく、実際に拡大又は縮小して描かれた細分背景画像のセットを記憶させておき、それらを適宜切り換えて使用するようにしているので、表示画像を拡大しても画像が粗くなることがなく、また、表示画像を縮小しても、図形や文字が潰れたりすることがなく、常に鮮明が画像を表示することができる。
【００５９】
表示器画像に関しても、表示器画像記憶手段５に、描画倍率が段階的に異なる表示器画像のセットを複数セット記憶させておき、表示倍率の変更指令に基づいて、表示器画像記憶手段５から読み出す表示器画像のセットを選択するようにしても良いことは勿論である。しかしながら、表示器画像は、比較的単純な画像であり、ソフトウエア上で拡大、縮小しても、画像が乱れることが少ないので、背景画像記憶手段４から読み出される細分背景画像の描画倍率に合わせて、適宜ソフトウエア上で拡大ないしは縮小して使用することができる。なお、背景画像記憶手段４から読み出される細分背景画像の描画倍率が変更された場合には、背景画像についても、対応する背景三次元モデルの三次元空間内への配置やテクスチャマッピングを含め、レンダリング処理を行って、監視盤画像を更新する必要があることはいうまでもない。
【００６０】
上記のようにして、表示画像の大幅な拡大、縮小が可能であるが、僅かな拡大や縮小であれば、例えば図１０において、視点２５の位置を背景三次元モデル２３に対して垂直な方向に移動させることによって行うことができる。すなわち、視点２５を背景三次元モデル２３に近づけると、ビュースクリーン２６に投影される領域Ａの大きさは小さくなるので、二次元変換された画像は拡大され、逆に、視点２５を背景三次元モデル２３から遠ざけると、ビュースクリーン２６に投影される領域Ａの大きさは大きくなるので、二次元変換された画像は縮小されたことになる。本発明の監視盤表示装置並びに表示方法においては、予め描画倍率の異なる細分背景画像のセットを複数用意しておき、これらを切り換えて使用することによる表示画像の拡大、縮小と、視点の移動による表示画像の拡大、縮小とを組み合わせて用いることによって、滑らかな画像の拡大、縮小を行うことができ、しかも、画像の鮮明さも損なわれることがないという利点が得られるものである。
【００６１】
なお、表示すべき監視盤画像が複数種類存在する場合には、それぞれの監視盤画像に対応した細分背景画像１５、１５、１５・・・のセットを複数セット、背景画像記憶手段４に記憶させておくとともに、それぞれの監視盤画像に対応した表示器画像のセットを複数セット、表示器画像記憶手段５に記憶させておき、さらには、デザインテーブル６およびレイアウトテーブル７を複数種類、記憶装置３に記憶させておいて、使用する細分背景画像セット、表示器画像のセット、デザインテーブル６、およびレイアウトテーブル７を適宜変更することで、表示する監視盤画像を適宜変更することができる。表示器画像のセット、およびデザインテーブル６に関しては、監視盤画像を変更しても変更の必要がない場合には、変更しなくても良い。
【００６２】
図１１は、本発明の監視盤表示装置を、訓練用の監視盤表示装置として用いる場合の訓練システムの概略を示すブロック図である。図１におけると同じものには同じ符号を付してある。図１１において、２８は訓練用コンピューターであり、２９ａ、２９ｂ、２９ｃは被訓練者のテーブル、３０、３０、３０は被訓練者のテーブルに設置された被訓練者用モニター、３１ａ、３１ｂ、３１ｃ、３１ｄは訓練トレーナーのテーブル、３２、３２、３２、３２は訓練トレーナーのテーブルに設置されたトレーナー用モニターである。
【００６３】
訓練用コンピューター２８は、訓練対象となっている電力系統における現在の状態を模擬した訓練用の模擬計測信号データを発生して、それを模擬テレメータ信号として監視盤コントローラー１２に送り、監視盤１０に訓練用の監視盤画像を表示させる。すなわち、監視盤コントローラー１２は、訓練用コンピューター２８から送られてきた模擬テレメータ信号を、所定のフォーマットに加工して、バス１１に供給し、この供給された模擬テレメータ信号に基づいて、監視盤表示用コンピューター１は、上述した手順に沿って、監視盤１０に監視盤画像を表示することになる。
【００６４】
訓練用コンピューター２８は、被訓練者用モニター３０、３０、３０には、例えば、実際の給電指令室における指令台のモニター画面と同様のモニター画像を表示させるとともに、トレーナー用モニター３２、３２、３２、３２にも、トレーナー用のモニター画像を表示させる。これらのモニター画像が、訓練用コンピューター２８によって発生されている模擬計測信号データに基づいて監視盤１０に表示されている電力系統の現在の状態に対応するものであることは勿論である。
【００６５】
訓練用コンピューター２８は、予め設定されたプログラムに基づいて、或いは、訓練トレーナーのテーブル３１ａ、３１ｂ、３１ｃ、３１ｄからの指示に基づいて、訓練対象となっている電力系統の状態を変化させ、その変化を、模擬計測信号データの変化として、監視盤コントローラー１２に送り、監視盤１０は、その表示している監視盤画像を変化させる。同時に、被訓練者用モニター３０、３０、３０に表示されるモニター画像も変化し、被訓練者は、変化した監視盤１０の監視盤画像と、自身のテーブルに設置されている被訓練者用モニター３０、３０、３０に表示されるモニター画像の変化に対応して、適切な操作や指示等を実行し、訓練が行われることになる。
【００６６】
このように、本発明の監視盤表示装置および監視盤表示方法によれば、外部からのテレメータ信号として、訓練用の模擬テレメータ信号を使用することにより、訓練用の監視盤を表示することができる。このとき、訓練対象となる電力系統等が複数存在する場合には、それぞれの電力系統等の監視盤画像に対応した細分背景画像１５、１５、１５・・・のセットを複数セット、背景画像記憶手段４に記憶させておくとともに、それぞれの電力系統等の監視盤画像に対応した表示器画像のセットを複数セット、表示器画像記憶手段５に記憶させておき、さらには、デザインテーブル６およびレイアウトテーブル７を複数種類、記憶装置３に記憶させておいて、使用する細分背景画像セット、表示器画像のセット、デザインテーブル６、およびレイアウトテーブル７を適宜変更することで、表示する監視盤画像を変更し、訓練対象となる電力系統等の変更にも随時対応することができる。
【００６７】
なお、上述した例においては、本発明の監視盤表示装置および監視盤表示方法は、監視盤１０に監視盤画像を表示させるためだけに用いられているけれども、本発明の監視盤表示装置および監視盤表示方法は、被訓練者用モニター３０、３０、３０や、トレーナー用モニター３２、３２、３２、３２に、モニター画像を表示させるのにも使用することができる。被訓練者用および／またはトレーナー用のモニター画像を、本発明の監視盤表示装置または監視盤表示方法によって表示させる場合には、モニター画像と監視盤画像との対応関係がより明瞭となり、しかも、本発明の監視盤表示装置または監視盤表示方法によって表示される画像は、視認性が良く、臨場感にも優れているので、被訓練者および訓練トレーナーにとって極めて見易く、有用である。このことは、訓練用ではない、実際の給電指令室等におけるモニター画像においても同様であり、本発明の監視盤表示装置または監視盤表示方法によって給電指令室等におけるモニター画像を表示させる場合には、モニター画像と監視盤画像との対応関係がより明瞭となり、しかも、表示されるモニター画像は、視認性が良く、臨場感にも優れているので、極めて見易く、有用である。
【産業上の利用可能性】
【００６８】
以上説明したように、本発明の監視盤表示装置並びに監視盤表示方法によれば、従来のモザイク式監視盤と同じくリアルで臨場感があり、しかも視認性に優れた監視盤画像を、適宜の表示装置にコンピューター画像として表示させることができる。本発明によって得られる監視盤画像は、コンピューター画像であるため、その作成やメンテナンスが容易で、監視すべき施設や設備群の変更にも柔軟に対応することができる。さらに、コンピューターに本発明の監視盤表示方法を実行させる手順を記述したプログラムは、市販のＡＰＩを用いて作成、編集することが可能であり、ユーザーにおけるカスタマイズも容易であるという特徴がある。本発明によって得られる監視盤画像は、外部からのテレメータ信号として、模擬テレメータ信号を用いることによって、訓練用の監視盤表示装置並びに監視盤表示方法としても使用することができる。本発明の監視盤表示装置並びに監視盤表示方法は通常のコンピューターと市販のＡＰＩを用いて作成されたプログラムによって、極めてシンプルなシステムとして構築することが可能である。本発明の監視盤表示装置並びに監視盤表示方法、及びプログラムは、電力系統はもとより、種々の施設ないしは設備群の監視を必要とする全ての業界にとって極めて有用であり、その産業上の利用可能性は多大である。
【図面の簡単な説明】
【００６９】
【図１】本発明の監視盤表示装置の概略を示すブロック図である。
【図２】記憶されている背景画像の一例を示す図である。
【図３】細分背景画像の一例を拡大して示す図である。
【図４】記憶されている表示器画像の一例を示す図である。
【図５】記憶されている表示器画像の一例を示す図である。
【図６】三次元空間における各三次元モデルと視点との関係を模式的に示す図である。
【図７】作成された監視盤画像の一例を１つの細分背景画像に対応する部分だけ取り出して示した図である。
【図８】作成された監視盤画像の一例を１つの細分背景画像に対応する部分だけ取り出して示した図である。
【図９】更新された監視盤画像の一例を１つの細分背景画像に対応する部分だけ取り出して示した図である。
【図１０】三次元空間における視点の移動による効果を模式的に示す図である。
【図１１】本発明の監視盤表示装置を、訓練用の監視盤の表示装置として用いる場合の概略を示すブロック図である。
【符号の説明】
【００７０】
１          監視盤表示用コンピューター
２          ＣＰＵ
３          記憶装置
４          背景画像記憶手段
５          表示器画像記憶手段
６          デザインテーブル
７          レイアウトテーブル
８          ＧＰＵ
９          ビデオメモリ
１０          表示装置
１１          バス
１２          監視盤コントローラー
１３ａ、１３ｂ・・・    遠隔監視装置
１４          背景画像
１５          細分背景画像
１６          名称表示
１７          送電線
１８          ラインスイッチ
１９          サーキットブレーカー
２０          電気所名表示器
２１          数値表示器
２２          格子模様
２３          背景三次元モデル
２４          表示器三次元モデル
２５          視点
２６          ビュースクリーン
２７ａ、２７ｂ・・・    電気所母線
２８          訓練用コンピューター
２９ａ、２９ｂ・・・    被訓練者用テーブル
３０          被訓練者用モニター
３１ａ、３１ｂ・・・    訓練トレーナー用テーブル
３２          トレーナー用モニター
Ａ            表示領域
【図１】
2007330088.tif 000003
【図２】
2007330088.tif 000004
【図３】
2007330088.tif 000005
【図４】
2007330088.tif 000006
【図５】
2007330088.tif 000007
【図６】
2007330088.tif 000008
【図７】
2007330088.tif 000009
【図８】
2007330088.tif 000010
【図９】
2007330088.tif 000011
【図１０】
2007330088.tif 000012
【図１１】
2007330088.tif 000013